(57)【要約】ディスプレイ信号（Ｖｉｎ）のためのビデオ増幅器（２００）内の消費を制御する方法である。この方法は、ビデオ増幅器（２００）内の第１の利得帯域幅積を確立するための第１の電流を設定するステップを有する。ディスプレイ信号（Ｖｉｎ）のスルーレートに従って、制御信号（ＣＳ）を発生する。ビデオ増幅器利得帯域幅積が前記ディスプレイ信号（Ｖｉｎ）のスルーレートに従って制御されるように、制御信号（ＣＳ）に応じて第１の電流を修正する。
2005501486.tif 000002
【特許請求の範囲】
【請求項１】
陰極線管ディスプレイにおいて、ビデオ増幅器は、
ビデオディスプレイ信号を有し、
前記ビデオディスプレイ信号を増幅し且つ表示のために前記陰極線管に結合された駆動増幅器を有し、
前記ビデオディスプレイ信号内に存在する周波数成分に応じて前記駆動増幅器の帯域幅を制御する制御信号を発生する制御信号発生器を有し、前記周波数成分は第１の帯域幅を占める前記ビデオディスプレイ信号を示し、前記制御信号は前記駆動増幅器に第１の帯域幅をとることを起こし、及び、前記周波数成分は前記第１の帯域幅より大きい第２の帯域幅を占める前記ビデオディスプレイ信号を示し、前記制御信号は前記駆動増幅器に第２の帯域幅をとることを起こす、ビデオ増幅器。
【請求項２】
前記第１の帯域幅を有する前記駆動増幅器の制御された動作では、前記駆動増幅器内の電流は第１の値を有する、請求項１に記載のビデオ増幅器。
【請求項３】
前記第２の帯域幅を有する前記駆動増幅器の制御された動作では、前記駆動増幅器内の前記電流は前記第１の値よりも大きな第２の値を有する、請求項２に記載のビデオ増幅器。
【請求項４】
前記第１の帯域幅を有する前記駆動増幅器の制御された動作中に、前記駆動増幅器は、第１の電力値を消費する、請求項１に記載のビデオ増幅器。
【請求項５】
前記第２の帯域幅を有する前記駆動増幅器の制御された動作中に、前記駆動増幅器は、前記第１の電力値よりも大きな第２の電力値を消費する、請求項４に記載のビデオ増幅器。
【請求項６】
陰極線管ディスプレイのためのビデオ増幅器であって、
ビデオディスプレイ信号を増幅するビデオ処理増幅器と、
前記ビデオ処理増幅器に結合され且つ前記陰極線管による表示のために前記ビデオ処理増幅器から前記増幅されたビデオディスプレイ信号を供給する出力駆動増幅器を有し、
前記出力駆動増幅器は、前記ビデオ処理増幅器に結合されて負のフィードバックループを構成し、前記ビデオ処理増幅器により発生されたフィードフォワードオープンループ制御信号は、前記出力駆動増幅器の帯域幅を制御するために適用される、ビデオ増幅器。
【請求項７】
前記負のフィードバックループは、前記増幅されたビデオディスプレイ信号内のＤＣ成分を制御する、請求項６に記載のビデオ増幅器。
【請求項８】
前記フィードフォワードオープンループ制御信号は、前記出力駆動増幅器内の電流を制御する、請求項６に記載のビデオ増幅器。
【請求項９】
前記フィードフォワードオープンループ制御信号は、前記出力駆動増幅器内の電力消費を制御する、請求項６に記載のビデオ増幅器。
【請求項１０】
前記出力駆動増幅器の帯域幅は、前記フィードフォワードオープンループ制御信号に応じて制御される、請求項６に記載のビデオ増幅器。
【請求項１１】
前記フィードフォワードオープンループ制御信号は、前記ビデオディスプレイ信号のスルーレートに従って、発生される、請求項６に記載のビデオ増幅器。
【請求項１２】
ディスプレイ信号のためのビデオ増幅器内の消費を制御する方法であって、
前記ビデオ増幅器内の第１の利得帯域幅積を確立する第１の電流を設定するステップと、
前記ディスプレイ信号のスルーレートに従って、制御信号を発生するステップと、
前記ビデオ増幅器利得帯域幅積が前記ディスプレイ信号の前記スルーレートに従って制御されるように、前記制御信号に応じて前記第１の電流を修正するステップとを有する方法。
【請求項１３】
前記設定するステップは、前記ビデオ増幅器についての低消費動作点を決定することを含む、請求項１２に記載の方法。
【請求項１４】
前記設定するステップは、前記ビデオ増幅器についての第１の帯域幅を確立することを含む、請求項１２に記載の方法。
【請求項１５】
前記発生するステップは、前記ディスプレイ信号スルーレートの大きさに比例して、前記制御信号を形成することを含む、請求項１２に記載の方法。
【請求項１６】
前記発生するステップは、前記ディスプレイ信号スルーレートの大きさの増加に従って、前記ビデオ増幅器の帯域幅を増加することを含む、請求項１２に記載の方法。
【請求項１７】
前記修正するステップは、前記低消費動作点よりも高い消費を有する前記ビデオ増幅器の動作点を決定することを含む、請求項１３に記載の方法。
【請求項１８】
前記決定するステップは、前記第１の帯域幅よりも大きな前記ビデオ増幅器の第２の帯域幅を確立することを含む、請求項１７に記載の方法。
【発明の詳細な説明】
【０００１】
本発明は、ビデオディスプレイ技術の分野に関連し、特に、ディスプレイ信号のスペクトル内容に従った、電力消費の動的な制御に関連している。
【０００２】
発明の背景
テレビ放送番組のディスプレイに加えて、テレビ受像器は、ＤＶＤプレーヤ、コンピュータ及びコンピュータゲームのような、他の信号源からしばしばディスプレイビデオあるいはグラフィク素材のための、モニター能力を提供する。これらの非放送の信号の帯域幅は、ＶＣＲによって得られたビデオ信号についての３．５ＭＨｚから、コンピュータによって生成されたイメージのための２５ＭＨｚの領域へ、変わりうる。ＴＶモニタディスプレイのビデオ出力増幅器の消費電力は、正確に非放送信号帯域幅と振幅を表示するために必要とされる帯域幅とともに増加する。近代的なＴＶは、異なった内容帯域幅をしばしば有する異なったソースからのディスプレイ信号を、頻繁に表示する。典型的には、５ＭＨｚから２０ＭＨｚの帯域幅の範囲を有する、単純なクラスＡビデオ増幅器での平均電力損失は、２Ｗから５Ｗの間を、相応して消費する。しかしながら、広帯域のアクティブ負荷増幅器では、これは容易に５ワットを超えることができる。陰極線管受信機モニタは、３つのビデオ出力増幅器を含んでいるので、これらはディスプレイの全体の消費電力に重要な寄与を示すことができる。
【０００３】
増加する周波数での動作の結果としてパラメータ変更を受ける電流経路からのフィードバックを使って、ビデオ増幅器の動作点を制御することが知られている。フィードバック信号は、より高い周波数において増加する電流に比例しているエミッタ抵抗をわたって発生される。フィードバック信号はフィルターされて、そして動作点に影響を与えるために増幅器入力に与えられる。
【０００４】
意図的でない放射のレベルを減少させるために、ディスプレイ信号のスペクトル内容を分析して、そして放射を起こす可能性が高い入力信号に従って放射制御信号を生成することが知られている。このような制御信号は、走査速度変調（ＳＶＭ）により発生される、主観的ビデオピーキング効果を減少するために、あるいは放射を減らすために動的にビデオキーキング回路を調整するために適用されることができる。ディスプレイ信号のスペクトル内容の分析が、画像強調の動的な減少を救済しながら、可能性のある放射候補の正確な指示を提供できることは理解されよう。しかしながら、このような動的な向上制御は、増幅器入力に存在する実際のディスプレイ信号に十分である増幅器帯域幅を適応して制御するここの目的と異なる。
【０００５】
増加するコンピュータとビデオゲーム使用法加えて、２４時間放送又は、ケーブル番組の有用性で、テレビ受像器モニタは、拡張された時間の時期の間使用可能であり、それ故に、ディスプレイによって消費された電力を減らすことは、装置の信頼性とエネルギー消費に関して有益であるであろう。
【０００６】
本発明の概要
有利な回線配置では、ビデオ出力段の帯域幅が、帯域幅要求あるいは入力信号内に存在する又は予想されるスペクトル成分に従って、連続的に調整される。この結果として、より低い解像度のビデオ信号を表示するときに、消費電力は減少される。更なる配置では、帯域幅は、制御信号によって、標準的な及び広い、２つの帯域幅値の間で、適応的に切り換えられることができる。この適応帯域幅制御は、ビデオ信号あるいは入力信号選択から帯域幅関連のデータを抽出することによって、マイクロコントローラによって生成されることができる。
【０００７】
本発明の方法では、消費はディスプレイ信号のためのビデオ増幅器で制御される。この方法は、ビデオ増幅器内で第１の利得帯域幅積を確立するための第１の電流を設定するステップを含む。ディスプレイ信号のスルーレートに従って、制御信号を発生する。ビデオ増幅器利得帯域幅積がディスプレイ信号のスルーレートに従って制御されるように、制御信号に応じて第１の電流を修正する。
【０００８】
更なる本発明の配置では、陰極線管ディスプレイのためのビデオ増幅器は、ビデオ処理増幅器に結合され且つ陰極線管による表示のためにビデオ処理増幅器から増幅されたビデオ信号を供給する出力駆動増幅器を有するビデオ処理増幅器を有する。出力駆動増幅器は、ビデオ処理増幅器に接続されて負のフィードバックループを構成し、ビデオ処理増幅器により発生されたフィードフォワードオープンループ制御信号は、出力駆動増幅器の帯域幅を制御するために適用される。
【０００９】
更に本発明の配置では、フィードフォワードオープンループ制御信号は、ビデオディスプレイ信号のスルーレートに従って、発生される。
【００１０】
詳細な説明
図１で示されたブロック図は、増幅器帯域幅が表示される信号のスペクトル内容に従って適応的に制御される、種々の発明の配置を含む陰極線管（ブラウン管）駆動増幅器を示す。カラー陰極線管ディスプレイでは、ブロック１００、２００、２５０、４００及び５００は、それぞれのディスプレイカラーについて存在するが、しかしながら、マイクロプロセッサコントローラ４００がそれぞれのカラーチャネルに色に特定された制御信号を提供することができる。例示のカラー復調器又は外部のベースバンドソースからの、例えば赤、緑又は青の、カラーディスプレイ信号は、増幅と例えばＤＣバイアス制御のために、ビデオ処理ブロック１００に入力される。自動的な受像管バイアスあるいは（ＡＫＢ）フィードバック制御ループによるディスプレイ信号のＤＣ内容又は成分の制御は、よく知られており、そして陰極線管ディスプレイの各陰極において予め定められた電流を維持するのに役立つ。
【００１１】
処理ブロック１００は、ビデオ出力増幅器２００に、例えば、赤、緑又は青のカラーディスプレイ信号を供給し、そして、増幅された及びＤＣ制御されたビデオ信号を、ビデオ信号内で発生する検出された周波数成分又はスルーレートに従って制御信号Ｖｇを発生する、ブロック３００へ供給する。適応動的帯域幅制御信号Ｖｇの微分は、図３参照して記述される。ブロック３００からのスルーレート関連の、適応帯域幅制御信号Ｖｇは、図２を参照して記述されるビデオ出力ブロック２００に結合される。
【００１２】
更なる適応帯域幅制御信号は、標準の又は入力源として選択された入力コネクタ形式のようなインジケータからのありそうな信号内容についての、情報を推定するために、マイクロプロセッサを使用するマイクロコントローラブロック４００の中で発生される。このように、マイクロコントローラ４００は、ビデオ出力増幅器２００のための固定の又はプリセットの帯域幅制御を提供できる。更なる配置では、増幅器２００を形成している出力トランジスタの温度が、温度超過が予め定められた増幅器帯域幅の減少を起こす、帯域幅制御アービタとして使用されることができる。
【００１３】
ビデオ出力ブロック２００からの適応帯域幅制御されたビデオ信号は、自動受像管バイアス、あるいはエミッタフォロワとして接続された（ＡＫＢ）サンプリングトランジスタＱ５００に結合される。知られているように、トランジスタＱ５００のコレクタからのＣＲＴ陰極電流はビデオプロセッサ１００から出力され、そして、ディスプレイビデオのＤＣ成分とそれ故にディスプレイ画像の輝度を安定させるために、負帰還制御ループを構成すると考えられることができる。例示的な自動受像管バイアス制御ループは、ディスプレイビデオ信号の垂直帰線消去期間に挿入される、暗いグレーか、あるいは低いレベル信号を表している、テストあるいは較正ラインを使用する。これらの較正ラインに起因しているＣＲＴ陰極電流は、望ましい電流値と比較され、そして、補正的な調整がディスプレイビデオ信号のＤＣ成分に適用される。このようにして、すべての３つの陰極電流は共通の値に合される。
【００１４】
図１に示された種々の適応制御配置は、ＤＣ安定度と自動受像管バイアス（ＡＫＢ）のための閉じた、負フィードバック制御ループのみを表すのではなく、更に加えて、出力増幅器帯域幅の動的な制御のための、オープンループ、フィードフォワード制御を表すと考えられることができる。このようにして、不必要な駆動増幅器帯域幅の供給は避けられ、そして、従って電力消費は非常に減少される。
【００１５】
適応帯域幅制御を有するビデオ出力増幅器２００は、図２によって回路図の形式で示されている。動的な帯域幅制御がないと、増幅器は、普通の広い帯域幅、アクティブな負荷ビデオ出力増幅器であると考えられる。ビデオプロセッサ１００からの入力信号は、抵抗Ｒ１，Ｒ２，Ｒ３，Ｒ４及びＲ５とコンデンサＣ１により形成された利得トリミング及びフィードバック網を介して、エミッタフォロワトランジスタＱ１のベースに接続されている。ＰＮＰ形トランジスタＱ１のエミッタは、抵抗Ｒ６を介して＋１２電源に接続され、周波数シェーピングを提供する並列に接続された抵抗Ｒ７とコンデンサＣ２の結合を介して、ＮＰＮ増幅器トランジスタＱ３のベースを駆動する。トランジスタＱ３のベースは、結合コンデンサＣ３を介してＰＮＰの増幅器トランジスタ Ｑ２のベースに接続されている。
【００１６】
トランジスタＱ３のベースでの信号は、コレクタ電流ＩＣを生成し、そして、増幅器のオープンループ利得は、電流ＩＣにより、以下に示すように決定される、
オープンループ利得＝−ｇｍＲＣ、ここで、ＲＣ＝トランジスタＱ３の負荷インピーダンス、
及びｇｍの代わりに、ここでｇｍ＝１／ｒｅ及びｒｅ＝２５／ＩＣ（ｍＡ）、
オープンループ利得＝−ＲＣ．ＩＣ／２５である。
コモンエミッタ増幅器、例えばトランジスタＱ３の利得帯域幅積あるいはｆＴは、コレクタ電流とともに変化し、そしていくぶん凸のカーブに従うことは知られている。例えば、低いコレクタ電流においては、より高い電流で得られることができるよりも低いｆＴが結果として生じる。しかしながら、広い帯域幅信号処理取扱能力の期待で、より高いコレクタ電流を持ち、それによってより高い利得帯域幅積を生じる、トランジスタ動作点の供給は、不必要なトランジスタ電力消費をもたらす。従って、入力信号スルーレートに従ったコレクタ電流ＩＣの有利な変化は、オープンループ利得、利得帯域幅積及びその結果の増幅器帯域幅の動的な入力信号調整を許す。
【００１７】
上のトランジスタＱ２は、コンデンサＣ３を介して、エミッタフォロワＱ１からビデオ信号の高周波数内容で駆動される、コモンエミッタモードで構成される。ドライバトランジスタＱ４とＱ５のエミッタでの最大出力信号振幅は、トランジスタＱ２の静止電流に比例し、これは、バイアス抵抗Ｒ９とＲ１０によって設定されるている。より低い電流の限界は、抵抗Ｒ５によって提供されるＤＣフィードバック電流によって定義され、最大電流は、最大認められたコレクタ電流あるいは電力消費を規定するトランジスタパラメータによって設定される。有利に、トランジスタＱ２とＱ３の電流を変えることによって、増幅器の全体的な帯域幅が制御され得る。図３を参照で記述される、本発明の帯域幅制御回路は、トランジスタＱ２の静止電流を変化させ、そして、増幅器２００の帯域幅を変える。
【００１８】
トランジスタＱ２３のコレクタからの、例えば、ＩＣ（Ｑ２３）／３の制御電流が、抵抗Ｒ１４を介してトランジスタＱ２のベースに接続され、そしてに６ミリアンペア（ｍＡ）から１５ミリアンペア（ｍＡ）の制御範囲有するコレクタ電流をトランジスタＱ２に供給する。動的な電流制御とビデオ増幅器のＤＣループゲインの結果として、出力ＣＲＴ駆動信号内に存在するＤＣ成分が変化することができる。しかしながら、前述のように、自動受像管バイアス（ＡＫＢ）制御ループによって提供された負のフィードバック制御は、十分に、ディスプレイ信号ＤＣ変化のこのソースについて補償することができる。
【００１９】
図３の回路図で示されたスルーレート検出器３００は、スルーレート及び周波数検出器と考えられる。スルーレートは、信号の１次微分に比例しているので、検出器は高域通過フィルタとして動作しなくてはならない。個々のカラー信号を表しているビデオ信号は、ＡＣ結合され、コンデンサーＣｒ，Ｃｂ，Ｃｇにより微分され、そして、そしてベースがグランドされたＮＰＮ形トランジスタ増幅器Ｑ２１のエミッタにおいて、低いインピーダンスで合計される。トランジスタＱ２１のベースは、コンデンサＣ２３によってグランドに減結合され、そして抵抗Ｒ２２を介して＋１２ボルト電源から電源を供給されるタイオードＤ２１によりバイアスされる。トランジスタＱ２１のエミッタでの十分な振幅の負の信号成分が、トランジスタを、導通し、そして、そして増幅器Ｑ２１のコレクタで、負の又は整流されたパルス、合計されそして増幅された信号を形成する。この出力信号は、およそ６．５ＭＨｚに共振する、インダクタＬ２１とコンデンサＣ２４の直列の接続されたネットワークによって構成されてノッチフィルターと並列に接続された負荷抵抗Ｒ２３をわたって発生する。このように整流されとフィルターされた信号はＰＮＰ形トランジスタ増幅器Ｑ２２のベースに供給される。
【００２０】
トランジスタ増幅器Ｑ２２のベースでの信号があるレベルより低い場合にはいつでも、トランジスタＱ２２は導通し、コンデンサＣ２５は＋１２はボルト電源に向かって充電される。トランジスタＱ２２が非導通のときには、コンデンサＣ２５は、約２秒の放電時定数を定義する、抵抗Ｒ２６とトランジスタＱ２３の入力インピーダンスによって放電される。放電時間は、一部には、どんなディスプレイ信号ＤＣシフトでも、遅い、フィールドレートの、ＡＫＢループの動作によって補正されるのを許す、ことを必要とされる。さらに放電時間は、不必要に頻繁な帯域幅の切り換えが避けられることを保証する。コンデンサＣ２５をわたる電圧は、トランジスタＱ２３のベースに与えられ、そしてこれは、エミッタ抵抗Ｒ２７と共に、図２に示された、電流源トランジスタＱ２のバイアスとビデオ出力増幅器の動作点を制御する電流源を形成する。
【００２１】
前述のように、マイクロコントローラブロック４００は、接地する抵抗Ｒ２８を切り換え、そしてトランジスタＱ２２のバイアスを変えるスイッチトランジスタＱ２４のベースに接続された帯域幅を決定する制御信号を発生ができる。従って、トランジスタＱ２２が、予め定められた電流にされることができ、そしてそれ故に、ビデオ増幅器２００の帯域幅は、マイクロコントローラ４００からの帯域幅決定に応じて、予め設定されることができる。例えば、トランジスタＱ２４がオンにされると、トランジスタＱ２２がコンデンサＣ２５をわたる電圧を上昇させそれにより、その結果帯域幅増幅器２００を増加させる、帯域幅制御電流ＩＣ（Ｑ２３）を増加する。逆に、マイクロコントローラ４００が、トランジスタＱ２４をオフで保持するときには、トランジスタＱ２１からの負の信号成分が、増幅器２００の電流と帯域幅の両方の結果としての増加を有する、コンデンサ２５をわたる電圧の上昇を起こすことを要求される。
【００２２】
コンデンサＣ２５をわたり発生された制御電圧と帯域幅増幅器２００の対応する効果の間の関係は図４で示されている。適応帯域幅制御の有益な結果は、図５のテーブルに示されており、２つの異なった帯域幅と２つの異なった入力信号での動作中に、２５度Ｃの周囲温度において測定された温度差を示す。可変帯域幅ビデオ駆動器の有利な使用は、低い帯域幅の動作中に消費電力を５０％減少させ、合計で６Ｗを節約しそして、加えて、トランジスタＱ４、Ｑ５のヒートシンクの温度は、約３０％だけ減少される。
【図面の簡単な説明】
【００２３】
【図１】本発明の配置を含むビデオ増幅器のブロック図である。
【図２】図１の本発明の配置を含む回路図である。
【図３】図１の本発明の配置と共に使用するための本発明のスルーレート検出器を示す回路図である。
【図４】図３の発明のスルーレート検出器の周波数応答を示す図である。
【図５】図１、２、３と４の発明の配置に従って制御されたビデオ増幅器の電流要求と温度変化を示す図である。
【図１】
2005501486.tif 000003
【図２】
2005501486.tif 000004
【図３】
2005501486.tif 000005
【図５】
2005501486.tif 000006
【国際公開パンフレット】
2005501486.tif 000007
2005501486.tif 000008
2005501486.tif 000009
2005501486.tif 000010
2005501486.tif 000011
2005501486.tif 000012
2005501486.tif 000013
2005501486.tif 000014
2005501486.tif 000015
2005501486.tif 000016
2005501486.tif 000017
2005501486.tif 000018
2005501486.tif 000019
2005501486.tif 000020
【手続補正書】
【提出日】平成15年9月19日(2003.9.19)
【手続補正１】
【補正対象書類名】特許請求の範囲
【補正対象項目名】全文
【補正方法】変更
【補正の内容】
【特許請求の範囲】
【請求項１】
陰極線管ディスプレイにおいて、ビデオ増幅器は、
ビデオディスプレイ信号を有し、
前記ビデオディスプレイ信号を増幅し且つ表示のために前記陰極線管に結合された駆動増幅器を有し、
前記駆動増幅器による増幅の前に、前記ビデオディスプレイ信号内に存在する周波数成分に応じて前記駆動増幅器の帯域幅を制御する制御信号を発生する制御信号発生器を有し、前記周波数成分は第１の帯域幅を占める前記ビデオディスプレイ信号を示し、前記制御信号は前記駆動増幅器に第１の帯域幅をとることを起こし、及び、前記周波数成分は前記第１の帯域幅より大きい第２の帯域幅を占める前記ビデオディスプレイ信号を示し、前記制御信号は前記駆動増幅器に第２の帯域幅をとることを起こす、ビデオ増幅器。
【請求項２】
前記第１の帯域幅を有する前記駆動増幅器の制御された動作では、前記駆動増幅器内の電流は第１の値を有する、請求項１に記載のビデオ増幅器。
【請求項３】
前記第２の帯域幅を有する前記駆動増幅器の制御された動作では、前記駆動増幅器内の前記電流は前記第１の値よりも大きな第２の値を有する、請求項２に記載のビデオ増幅器。
【請求項４】
前記第１の帯域幅を有する前記駆動増幅器の制御された動作中に、前記駆動増幅器は、第１の電力値を消費する、請求項１に記載のビデオ増幅器。
【請求項５】
前記第２の帯域幅を有する前記駆動増幅器の制御された動作中に、前記駆動増幅器は、前記第１の電力値よりも大きな第２の電力値を消費する、請求項４に記載のビデオ増幅器。
【請求項６】
陰極線管ディスプレイのためのビデオ増幅器であって、
ビデオディスプレイ信号を増幅するビデオ処理増幅器と、
前記ビデオ処理増幅器に結合され且つ前記陰極線管による表示のために前記ビデオ処理増幅器から前記増幅されたビデオディスプレイ信号を供給する出力駆動増幅器を有し、
前記出力駆動増幅器は、前記ビデオ処理増幅器に結合されて負のフィードバックループを構成し、フィードフォワードオープンループ制御信号は前記ビデオ処理増幅器の出力から発生され且つ、前記出力駆動増幅器の帯域幅を制御するために適用される、ビデオ増幅器。
【請求項７】
前記負のフィードバックループは、前記増幅されたビデオディスプレイ信号内のＤＣ成分を制御する、請求項６に記載のビデオ増幅器。
【請求項８】
前記フィードフォワードオープンループ制御信号は、前記出力駆動増幅器内の電流を制御する、請求項６に記載のビデオ増幅器。
【請求項９】
前記フィードフォワードオープンループ制御信号は、前記出力駆動増幅器内の電力消費を制御する、請求項６に記載のビデオ増幅器。
【請求項１０】
前記出力駆動増幅器の帯域幅は、前記フィードフォワードオープンループ制御信号に応じて制御される、請求項６に記載のビデオ増幅器。
【請求項１１】
前記フィードフォワードオープンループ制御信号は、前記ビデオディスプレイ信号のスルーレートに従って、発生される、請求項６に記載のビデオ増幅器。
【請求項１２】
ディスプレイ信号のためのビデオ増幅器内の消費を制御する方法であって、
前記ビデオ増幅器内の第１の利得帯域幅積を確立する第１の電流を設定するステップと、
前記ビデオ増幅器入力で、前記ディスプレイ信号のスルーレートに従って、制御信号を発生するステップと、
前記ビデオ増幅器利得帯域幅積が前記ディスプレイ信号の前記スルーレートに従って制御されるように、前記制御信号に応じて前記第１の電流を修正するステップとを有する方法。
【請求項１３】
前記設定するステップは、前記ビデオ増幅器についての低消費動作点を決定することを含む、請求項１２に記載の方法。
【請求項１４】
前記設定するステップは、前記ビデオ増幅器についての第１の帯域幅を確立することを含む、請求項１２に記載の方法。
【請求項１５】
前記発生するステップは、前記ディスプレイ信号スルーレートの大きさに比例して、前記制御信号を形成することを含む、請求項１２に記載の方法。
【請求項１６】
前記発生するステップは、前記ディスプレイ信号スルーレートの大きさの増加に従って、前記ビデオ増幅器の帯域幅を増加することを含む、請求項１２に記載の方法。
【請求項１７】
前記修正するステップは、前記低消費動作点よりも高い消費を有する前記ビデオ増幅器の動作点を決定することを含む、請求項１３に記載の方法。
【請求項１８】
前記決定するステップは、前記第１の帯域幅よりも大きな前記ビデオ増幅器の第２の帯域幅を確立することを含む、請求項１７に記載の方法。
【国際調査報告】
2005501486.tif 000021
2005501486.tif 000022